(57)【要約】【課題】  腔状患部の内壁も観察することができる手術顕微鏡用の側視型延長鏡筒を提供する。【解決手段】  筒状本体１１の下端部１０を腔状患部２７の内部へ挿入し、手術顕微鏡１からの照明光Ａを下端部１０の照明窓１６から内壁２７ａに対して横向きに照射でき、内壁２７ａで反射された横向きの観察光Ｂを観察窓１７から取り入れて、手術顕微鏡１側へ導くことができるため、腔状患部２７の内壁２７ａも確実に観察することができる。アタッチメント部１２を手術顕微鏡１に取付けた状態のまま、筒状本体１１をヒンジ部１３を中心に手術顕微鏡１の観察範囲よりも外側へ回動させることにより、腔状患部２７の底面２７ａも通常通りに観察することができる。【選択図】        図４
2006006417.tif 000002
【特許請求の範囲】
【請求項１】
照明光照射口と観察光取入口を下面部に有する手術顕微鏡に取付けて使用される手術顕微鏡用の側視型延長鏡筒であって、
上端部よりも下端部の方が小径な筒状本体を備え、
該筒状本体の上端部は、手術顕微鏡の下面部における照明光照射口と観察光取入口が形成された領域に取付自在なアタッチメント部を有する構造で、
筒状本体の下端部は、側面に観察窓と照明窓を有する有底構造で、
筒状本体の内部に、観察窓からの立体観察用の２系統の観察光を観察光取入口に導く観察光路と、照明光照射口からの照明光を照明窓に導く照明光路を形成したことを特徴とする手術顕微鏡用の側視型延長鏡筒。
【請求項２】
請求項１記載の手術顕微鏡用の側視型延長鏡筒であって、
アタッチメント部が、筒状本体の上端部と、分離された状態で、ヒンジ部及びストッパ部を介して連結され、必要時にストッパ部を解除することにより、アタッチメント部を手術顕微鏡に取付けた状態のまま、筒状本体の他の部分をヒンジ部を中心に手術顕微鏡の観察範囲よりも外側へ回動自在なことを特徴とする手術顕微鏡用の側視型延長鏡筒。
【請求項３】
請求項１又は請求項２記載の手術顕微鏡用の側視型延長鏡筒であって、
筒状本体の上端部に、２系統の観察光を接近させるレンズが配置されていることを特徴とする手術顕微鏡用の側視型延長鏡筒。
【請求項４】
請求項３記載の手術顕微鏡用の側視型延長鏡筒であって、
レンズの照明光路に対応する部分に切欠が形成されていることを特徴とする手術顕微鏡用の側視型延長鏡筒。
【発明の詳細な説明】
【技術分野】
【０００１】
本発明は、手術顕微鏡に着脱自在な側視型延長鏡筒に関するものである。
【背景技術】
【０００２】
脳外科等において用いられる手術顕微鏡は患部を立体的に把握できる立体（実体）顕微鏡になっている。手術顕微鏡の下面部には、照明光照射口と観察光取入口が設けられ、照明光照射口から下向きに照射した照明光で患部を照らし、そこから反射された観察光を、観察光取入口から内部に取り入れて、対物光学系、ズーム光学系、接眼光学系を介してドクターの２つの瞳に導くようになっている（例えば、特許文献１参照）。
【特許文献１】特開２００１−２０８９７９号公報
【発明の開示】
【発明が解決しようとする課題】
【０００３】
しかしながら、このような従来の技術にあっては、手術顕微鏡の下面部に形成された照明光照射口と観察光取入口により、患部を照らして観察する構造のため、手術顕微鏡の下面部を向けた方向（一般に下向き）でしか患部を観察することができない。従って、例えば腔状患部を観察する場合など、腔状患部の底面しか観察できず、腔状患部の内壁は観察することができなかった。
【０００４】
本発明は、このような従来の技術に着目してなされたものであり、腔状患部の内壁も観察することができる手術顕微鏡用の側視型延長鏡筒を提供するものである。
【課題を解決するための手段】
【０００５】
請求項１記載の発明は、照明光照射口と観察光取入口を下面部に有する手術顕微鏡に取付けて使用される手術顕微鏡用の側視型延長鏡筒であって、上端部よりも下端部の方が小径な筒状本体を備え、該筒状本体の上端部は、手術顕微鏡の下面部における照明光照射口と観察光取入口が形成された領域に取付自在なアタッチメント部を有する構造で、筒状本体の下端部は、側面に観察窓と照明窓を有する有底構造で、筒状本体の内部に、観察窓からの立体観察用の２系統の観察光を観察光取入口に導く観察光路と、照明光照射口からの照明光を照明窓に導く照明光路を形成したことを特徴とする。
【０００６】
請求項２記載の発明は、アタッチメント部が、筒状本体の上端部と、分離された状態で、ヒンジ部及びストッパ部を介して連結され、必要時にストッパ部を解除することにより、アタッチメント部を手術顕微鏡に取付けた状態のまま、筒状本体の他の部分をヒンジ部を中心に手術顕微鏡の観察範囲よりも外側へ回動自在なことを特徴とする。
【０００７】
請求項３記載の発明は、筒状本体の上端部に、２系統の観察光を接近させるレンズが配置されていることを特徴とする。
【０００８】
請求項４記載の発明は、レンズの照明光路に対応する部分に切欠が形成されていることを特徴とする。
【発明の効果】
【０００９】
請求項１記載の発明によれば、筒状本体の下端部を腔状患部の内部へ挿入し、手術顕微鏡からの照明光を下端部の照明窓から内壁に対して横向きに照射でき、内壁で反射された横向きの観察光を観察窓から取り入れて、手術顕微鏡側へ導くことができるため、腔状患部の内壁も確実に観察することができる。
【００１０】
請求項２記載の発明によれば、アタッチメント部を手術顕微鏡に取付けた状態のまま、筒状本体をヒンジ部を中心に手術顕微鏡の観察範囲よりも外側へ回動させることにより、腔状患部の底面も通常通りに観察することができる。
【００１１】
請求項３記載の発明によれば、筒状本体の上端部に、２系統の観察光を接近させるレンズが配置されているため、小径の下端部から大径の上端部へ向けて距離を広げながら導かれた２系統の観察光も、レンズで距離を接近させて、手術顕微鏡の２つの観察光取入口に確実に取込むことができる。
【００１２】
請求項４記載の発明によれば、手術顕微鏡の照明光照射口から照射した照明光を、レンズの影響を受けずに、切欠からそのまま照明光路に導入することができるため、照明光路の設計が容易になる。
【発明を実施するための最良の形態】
【００１３】
以下、本発明の最良の実施形態を図１〜図６に基づいて説明する。手術顕微鏡１は、図示せぬバランス式のスタンド装置により釣り下げ支持されており、任意の位置及び姿勢で空中に停止させることができる。
【００１４】
手術顕微鏡１の下面部には、図６に示すように、２つの観察光取入口２と、１つの照明光照射口３が形成されている。これらの観察光取入口２及び照明光照射口３は、フランジ４の内部領域に形成されている。フランジ４の外面には４つの突起５が形成されている。
【００１５】
照明光照射口３からは、外部の光源から導かれた照明光Ａを下向きに照射できるようになっている。観察光取入口２からは立体視用として２系統の観察光Ｂを取入れることができる。取入れられた２系統の観察光Ｂは、内部の対物光学系、ズーム光学系を経て、２つの接眼部６から、ドクターの２つの瞳７に導くようになっている
【００１６】
このような手術顕微鏡１のフランジ４には、下側から着脱自在な側視型延長鏡筒８が取付けられる。側視型延長鏡筒８は、上端部９よりも下端部１０の方が小径な筒状本体１１を有している。
【００１７】
筒状本体１１の上端部９は円筒形状で、その上部はアタッチメント部１２として分離されている。アタッチメント部１２と上端部９は、対向位置にあるヒンジ部１３とストッパ部１４により連結されている。アタッチメント部１２の内面には４つのバヨネット溝１５が形成されている。
【００１８】
上端部９から下側部分は、幅が漸次狭くなる角筒形状で、下端部１０は有底形状になっている。下端部１０の側面には、照明窓１６と観察窓１７が上下に形成されている。観察窓１７には観察光Ｂを直角に反射するプリズム１８が設けられ、照明窓１６には照明光Ａを斜め下方へ反射するプリズム１９が設けられている。
【００１９】
筒状本体１１における上端部９よりも下方部分は、隔壁２０により照明光路２１と観察光路２２に区画されており、それらの下端に前記プリズム１８、１９がそれぞれ位置している。また、観察光路２２の途中には、観察像を正立化させる台形状のプリズム２３も設けられている。
【００２０】
筒状本体１１の上端部９には、中心軸を観察光路２２に合致させたレンズ２４が支持されている。レンズ２４の照明光路２１に対応する部分には切欠２５が形成されている。手術顕微鏡１からの照明光Ａを、レンズ２４の影響を受けずに、切欠２５からそのまま照明光路２１に導入することができるため、照明光路２１の設計が容易である。レンズ２４の上方には、２系統の観察光Ｂに対応する２つの個別レンズ２６がそれぞれ設けられている。
【００２１】
このような構造をした側視型延長鏡筒８を、アタッチメント部１２のバヨネット溝１５をフランジ４の突起５に係合させることにより取付ける。そして、手術顕微鏡１ごと移動させて、筒状本体１１の小径の下端部１０を腔状患部２７の内部に挿入する。下端部１０が小径のため、挿入が容易である。
【００２２】
そして、手術顕微鏡１の照明光照射口３から照射された照明光Ａを照明光路２１内に導き、プリズム１９で反射することにより照明窓１６から腔状患部２７の内壁２７ａに向けて照射する。
【００２３】
腔状患部２７の内壁２７ａで反射された反射光は、２系統の観察光Ｂとなって、観察窓１７から導入され、下端のプリズム１８により反射されて、観察光路２２中を上向きに進む。観察光路２２中では２系統の観察光Ｂが更に台形状のプリズム２３で反射されて正立化されると共に、互いに距離を広げながら上端部９のレンズ２４に至る。
【００２４】
レンズ２４では拡大傾向にある２つの観察光Ｂの距離を接近させ、手術顕微鏡１のフランジ４内にある２つの観察光取入口２に確実に導き、手術顕微鏡１による腔状患部２７の内壁２７ａの立体観察を可能にする。
【００２５】
次ぐに、腔状患部２７の底面２７ｂを観察したい場合には、ストッパ部１４を解除し、アタッチメント部１２以外の筒状本体１１をヒンジ部１３を中心に手術顕微鏡１の観察範囲よりも外側へ回動させる。そうすることにより、手術顕微鏡１の照明光照射口３より照射した照明光Ａを腔状患部２７の底面２７ｂに当てることができ、底面２７ｂで反射された観察光Ｂを観察光取入口２より取り入れて観察することができる。
【産業上の利用可能性】
【００２６】
アタッチメント部１２が筒状本体１１の上端部９と一体の構造で良い。手術顕微鏡１の使用形態は下向きばかりでなく、横向きに使用される場合もある。側視型延長鏡筒８における照明光路２１として光ファイバーを用いても良い。
【図面の簡単な説明】
【００２７】
【図１】本発明の一実施形態に係る手術顕微鏡の下面に側視型延長鏡筒を取付けた状態を示す一部断面の側面図。
【図２】側視型延長鏡筒のアタッチメント部以外の部分を回動させた状態を示す一部断面の側面図。
【図３】側視型延長鏡筒を示す斜視図。
【図４】側視型延長鏡筒を示す断面図。
【図５】側視型延長鏡筒の上端部を上から見た状態を示す平面図。
【図６】手術顕微鏡のフランジを下から見た状態を示す底面図。
【符号の説明】
【００２８】
１  手術顕微鏡
２  観察光取入口
３  照明光照射口
４  フランジ
８  側視型延長鏡筒
９  上端部
１０  下端部
１１  筒状本体
１２  アタッチメント部
１３  ヒンジ部
１４  ストッパ部
１５  バヨネット溝
１６  照明窓
１７  観察窓
２１  照明光路
２２  観察光路
２４  レンズ
２５  切欠
２７  腔状患部
２７ａ  内壁
２７ｂ  底面
Ａ  照明光
Ｂ  観察光
【図１】
2006006417.tif 000003
【図２】
2006006417.tif 000004
【図３】
2006006417.tif 000005
【図４】
2006006417.tif 000006
【図５】
2006006417.tif 000007
【図６】
2006006417.tif 000008